(57)【要約】【課題】複数の通信方式で電力増幅器を共用する場合、低電圧検出しきい値を高く設定したり、サイズ、コストの増大を招いたりすることなく、電源回路入力部の過渡的な電圧降下を低減すること。【解決手段】本発明の無線通信装置は、電源と、複数の通信方式で共用する電力増幅部と、電源からの電源電圧を降圧又は昇圧して電力増幅部に供給するためのＤＣ／ＤＣコンバータと、電源からの電源電圧をＤＣ／ＤＣコンバータを迂回して電力増幅部に直接供給するためのバイパスに設けられたバイパススイッチと、通信方式に応じてＤＣ／ＤＣコンバータまたはバイパススイッチのいずれかをＯＮにし、電源からの電源電圧をＤＣ／ＤＣコンバータまたはバイパスのいずれかを使用して電力増幅部に供給する制御部と、を有する。制御部は、バイパスを使用する通信方式の場合、当該通信方式による送信動作の開始前の一定期間において、バイパススイッチのＯＮ／ＯＦＦを繰り返す。【選択図】図１
2010118918.tif 000002
【特許請求の範囲】
【請求項１】
電源と、複数の通信方式で共用する電力増幅部と、前記電源からの電源電圧を降圧又は昇圧して前記電力増幅部に供給するためのＤＣ／ＤＣコンバータと、前記電源からの電源電圧を前記ＤＣ／ＤＣコンバータを迂回して前記電力増幅部に直接供給するためのバイパスに設けられたバイパススイッチと、通信方式に応じて前記ＤＣ／ＤＣコンバータまたは前記バイパススイッチのいずれかをＯＮにし、前記電源からの電源電圧を前記ＤＣ／ＤＣコンバータまたは前記バイパスのいずれかを使用して前記電力増幅部に供給する制御部と、を有してなる無線通信装置であって、
前記制御部は、
前記バイパスを使用する通信方式の場合、当該通信方式による送信動作の開始前の一定期間において、前記バイパススイッチのＯＮ／ＯＦＦを繰り返すことを特徴とする無線通信装置。
【請求項２】
前記制御部は、
前記バイパススイッチの前記一定期間におけるＯＮ抵抗値を、送信動作中におけるＯＮ抵抗値よりも大きくすることを特徴とする請求項１に記載の無線通信装置。
【請求項３】
前記制御部は、
前記一定期間において、前記バイパスを流れる電流によって充電される、前記電力増幅器に供給される電源電圧を安定にする電源電圧安定化用コンデンサおよび前記ＤＣ／ＤＣコンバータ内のコンデンサの充電電圧を監視し、監視した充電電圧に応じて前記バイパススイッチのＯＮ／ＯＦＦ時間を制御することを特徴とする請求項１または２に記載の無線通信装置。
【請求項４】
電源と、複数の通信方式で共用する電力増幅部と、前記電源からの電源電圧を降圧又は昇圧して前記電力増幅部に供給するためのＤＣ／ＤＣコンバータと、前記電源からの電源電圧を前記ＤＣ／ＤＣコンバータを迂回して前記電力増幅部に直接供給するためのバイパスに設けられたバイパススイッチと、通信方式に応じて前記ＤＣ／ＤＣコンバータまたは前記バイパススイッチのいずれかをＯＮにし、前記電源からの電源電圧を前記ＤＣ／ＤＣコンバータまたは前記バイパスのいずれかを使用して前記電力増幅部に供給する制御部と、を有してなる無線通信装置であって、
前記電力増幅器に供給される電源電圧を安定にする電源電圧安定化用コンデンサおよび前記ＤＣ／ＤＣコンバータ内のコンデンサを充電するための専用パスに設けられたコンデンサ充電用スイッチとコンデンサ充電電流制限抵抗とをさらに有し、
前記制御部は、
前記バイパスを使用する通信方式の場合、当該通信方式による送信動作の開始前の一定期間において、前記コンデンサ充電用スイッチをＯＮすることを特徴とする無線通信装置。
【請求項５】
前記コンデンサ充電電流制限抵抗の抵抗値が、前記バイパススイッチの送信動作中におけるＯＮ抵抗値よりも大きいことを特徴とする請求項４に記載の無線通信装置。
【請求項６】
前記制御部は、
前記一定期間において、前記コンデンサ充電用スイッチおよび前記コンデンサ充電電流制限抵抗を流れる電流によって充電される前記電源電圧安定化用コンデンサおよび前記ＤＣ／ＤＣコンバータ内のコンデンサの充電電圧を監視し、監視した充電電圧に応じて前記コンデンサ充電用スイッチのＯＮ時間を制御することを特徴とする請求項４または５に記載の無線通信装置。
【請求項７】
電源と、複数の通信方式で共用する電力増幅部と、前記電源からの電源電圧を降圧又は昇圧して前記電力増幅部に供給するためのＤＣ／ＤＣコンバータと、前記電源からの電源電圧を前記ＤＣ／ＤＣコンバータを迂回して前記電力増幅部に直接供給するためのバイパスに設けられたバイパススイッチと、通信方式に応じて前記ＤＣ／ＤＣコンバータまたは前記バイパススイッチのいずれかをＯＮにし、前記電源からの電源電圧を前記ＤＣ／ＤＣコンバータまたは前記バイパスのいずれかを使用して前記電力増幅部に供給する制御部と、を有してなる無線通信装置であって、
前記電力増幅器に供給される電源電圧を安定にする電源電圧安定化用コンデンサおよび前記ＤＣ／ＤＣコンバータ内のコンデンサを充電するための専用パスに設けられたコンデンサ充電用及び逆流防止用ダイオードとコンデンサ充電電流制限抵抗とをさらに有することを特徴とする無線通信装置。
【請求項８】
前記コンデンサ充電電流制限抵抗の抵抗値が、前記バイパススイッチの送信動作中におけるＯＮ抵抗値よりも大きいことを特徴とする請求項７に記載の無線通信装置。
【請求項９】
前記ＤＣ／ＤＣコンバータを昇圧動作として使う場合、ＤＣ／ＤＣコンバータ出力側から前記電源側に電流が逆流しないように前記コンデンサ充電用及び逆流防止用ダイオードを設けたことを特徴とする請求項７または８に記載の無線通信装置。
【請求項１０】
電源と、複数の通信方式で共用する電力増幅部と、前記電源からの電源電圧を降圧又は昇圧して前記電力増幅部に供給するためのＤＣ／ＤＣコンバータと、前記電源からの電源電圧を前記ＤＣ／ＤＣコンバータを迂回して前記電力増幅部に直接供給するためのバイパスに設けられたバイパススイッチと、を有し、通信方式に応じて前記ＤＣ／ＤＣコンバータまたは前記バイパススイッチのいずれかをＯＮにし、前記電源からの電源電圧を前記ＤＣ／ＤＣコンバータまたは前記バイパスのいずれかを使用して前記電力増幅部に供給する無線通信装置における電力増幅器の電源電圧制御方法であって、
前記バイパスを使用する通信方式の場合、当該通信方式による送信動作の開始前の一定期間において、前記バイパススイッチのＯＮ／ＯＦＦを繰り返すことを特徴とする電源電圧制御方法。
【請求項１１】
前記バイパススイッチの前記一定期間におけるＯＮ抵抗値を、送信動作中におけるＯＮ抵抗値よりも大きくすることを特徴とする請求項１０に記載の電源電圧制御方法。
【請求項１２】
前記一定期間において、前記バイパスを流れる電流によって充電される、前記電力増幅器に供給される電源電圧を安定化するコンデンサおよび前記ＤＣ／ＤＣコンバータ内のコンデンサの充電電圧を監視し、監視した充電電圧に応じて前記バイパススイッチのＯＮ／ＯＦＦ時間を制御することを特徴とする請求項１０または１１に記載の電源電圧制御方法。
【請求項１３】
電源と、複数の通信方式で共用する電力増幅部と、前記電源からの電源電圧を降圧又は昇圧して前記電力増幅部に供給するためのＤＣ／ＤＣコンバータと、前記電源からの電源電圧を前記ＤＣ／ＤＣコンバータを迂回して前記電力増幅部に直接供給するためのバイパスに設けられたバイパススイッチと、を有し、通信方式に応じて前記ＤＣ／ＤＣコンバータまたは前記バイパススイッチのいずれかをＯＮにし、前記電源からの電源電圧を前記ＤＣ／ＤＣコンバータまたは前記バイパスのいずれかを使用して前記電力増幅部に供給する無線通信装置における電力増幅器の電源電圧制御方法であって、
前記無線通信装置に、前記電力増幅器に供給される電源電圧を安定にする電源電圧安定化用コンデンサおよび前記ＤＣ／ＤＣコンバータ内のコンデンサを充電するための専用パスに配置されるコンデンサ充電用スイッチとコンデンサ充電電流制限抵抗とを設け、
前記バイパスを使用する通信方式の場合、当該通信方式による送信動作の開始前の一定期間において、前記コンデンサ充電用スイッチをＯＮすることを特徴とする電源電圧制御方法。
【請求項１４】
前記コンデンサ充電電流制限抵抗の抵抗値が、前記バイパススイッチの送信動作中におけるＯＮ抵抗値よりも大きいことを特徴とする請求項１３に記載の電源電圧制御方法。
【請求項１５】
前記一定期間において、前記コンデンサ充電用スイッチおよび前記コンデンサ充電電流制限抵抗を流れる電流によって充電される前記電源電圧安定化用コンデンサおよび前記ＤＣ／ＤＣコンバータ内のコンデンサの充電電圧を監視し、監視した充電電圧に応じて前記コンデンサ充電用スイッチのＯＮ時間を制御することを特徴とする請求項１３または１４に記載の電源電圧制御方法。
【請求項１６】
電源と、複数の通信方式で共用する電力増幅部と、前記電源からの電源電圧を降圧又は昇圧して前記電力増幅部に供給するためのＤＣ／ＤＣコンバータと、前記電源からの電源電圧を前記ＤＣ／ＤＣコンバータを迂回して前記電力増幅部に直接供給するためのバイパスに設けられたバイパススイッチと、を有し、通信方式に応じて前記ＤＣ／ＤＣコンバータまたは前記バイパススイッチのいずれかをＯＮにし、前記電源からの電源電圧を前記ＤＣ／ＤＣコンバータまたは前記バイパスのいずれかを使用して前記電力増幅部に供給する無線通信装置における電力増幅器の電源電圧制御方法であって、
前記無線通信装置に、前記電力増幅器に供給される電源電圧を安定にする電源電圧安定化用コンデンサおよび前記ＤＣ／ＤＣコンバータ内のコンデンサを充電するための専用パスに設けられたコンデンサ充電用及び逆流防止用ダイオードとコンデンサ充電電流制限抵抗とをさらに設けることを特徴とする電源電圧制御方法。
【請求項１７】
前記コンデンサ充電電流制限抵抗の抵抗値が、前記バイパススイッチの送信動作中におけるＯＮ抵抗値よりも大きいことを特徴とする請求項１６に記載の電源電圧制御方法。
【請求項１８】
前記コンデンサ充電用及び逆流防止用ダイオードは、ＤＣ／ＤＣコンバータを昇圧動作として使う場合、ＤＣ／ＤＣコンバータ出力側から前記電源側に電流が逆流しないように設けられたことを特徴とする請求項１６または１７に記載の電源電圧制御方法。
【発明の詳細な説明】
【技術分野】
【０００１】
本発明は、複数の通信方式に対応する携帯電話機等の無線通信装置において、送信信号を増幅する電力増幅器に供給する電源電圧を制御する技術に関する。
【背景技術】
【０００２】
近年、ＷＣＤＭＡ（Wideband Code Division Multiple Access）方式、ＧＳＭ（Global System for Mobile Communication）方式、ＥＤＧＥ方式などの通信方式のうち複数の通信方式に対応する携帯電話機が標準となりつつある。
【０００３】
ＷＣＤＭＡ方式に対応する無線通信装置においては、電力増幅器をＤＣ／ＤＣコンバータを介して電源と接続し、電力変換効率が最適になるよう制御を行う構成となっている。
【０００４】
一方、ＧＳＭ方式やＥＤＧＥ方式に対応する無線通信装置においては、出力電力が大きく（ＧＳＭ方式は、通常、ＷＣＤＭＡ方式に比べて９ｄＢ程度大きい）、消費電流も多いことから、電力増幅器を電源と直接接続して使用する構成が一般的になっている。
【０００５】
そのため、複数の通信方式に対応する無線通信装置においては、複数の通信方式ごとに複数の電力増幅器を設けた構成とする場合が多い。そのような構成の一例として、ＷＣＤＭＡ方式およびＧＳＭ方式に対応する無線通信装置を図７に示す。
【０００６】
図７に示した無線通信装置は、電源１と、電源電圧監視抵抗１８，１９と、ＤＣ／ＤＣコンバータ２２と、ＷＣＤＭＡ用の電力増幅器１５と、ＧＳＭ用の電力増幅器２５と、電圧安定化用コンデンサ１７，２４と、制御部５Ａと、を含む。
【０００７】
電源１は、バッテリや直流安定化電源で構成される。
【０００８】
なお、図７においては、電源ライン上にある、電源１の内部抵抗成分、コネクタ（不図示）の接触抵抗成分、およびプリント基板上のプリントパターン（不図示）の抵抗成分等を合わせたものを抵抗成分２１として図示している。なお、抵抗成分２１の抵抗値はＲ１とする。
【０００９】
電源電圧監視抵抗１８，１９は、電源１からの電源電圧Ｖｉｎ２を監視するための抵抗である。ここで監視された監視信号２０は制御部５Ａに入力される。
【００１０】
ＤＣ／ＤＣコンバータ２２は、電源１からの電源電圧Ｖｉｎ２を降圧又は昇圧し、電源電圧ＰＡＶｃｃ１４として電力増幅器１５に供給するものであり、降圧型または昇降圧型のどちらの構成であってもよい。ＤＣ／ＤＣコンバータ２２は、入力電圧安定化用コンデンサ３と、出力電圧安定化用コンデンサ７と、インダクタ６と、出力電圧監視抵抗１２，１３と、ＤＣ／ＤＣコンバータ制御部４と、を含む。
【００１１】
入力電圧安定化用コンデンサ３および出力電圧安定化用コンデンサ７は、それぞれＤＣ／ＤＣコンバータ２２の入力電圧および出力電圧を安定にするためのコンデンサである。
【００１２】
出力電圧監視抵抗１２，１３は、ＤＣ／ＤＣコンバータ２２の出力電圧を監視するための抵抗である。ここで監視された監視信号ＤＣＤＣｍｏｎ２３はＤＣ／ＤＣコンバータ制御部４に入力される。
【００１３】
ＤＣ／ＤＣコンバータ制御部４は、制御部５Ａの制御の下で、インダクタ６で生じる起電力を調整することにより、ＤＣ／ＤＣコンバータ２２のＯＮ／ＯＦＦと、ＯＮ時の出力電圧とを制御する。例えば、ＤＣ／ＤＣコンバータ制御部４は、ＦＥＴ素子等のスイッチング素子およびスイッチング制御回路（共に不図示）を含んで構成される。
【００１４】
制御部５Ａは、制御信号ＤＣＤＣＣＯＮＴ１０により、送信パワーに応じて電力増幅器１５に電源電圧ＰＡＶｃｃ１４として供給するＤＣ／ＤＣコンバータ２２の出力電圧を制御し、また、制御信号ＤＣＤＣＯＮ１１により、ＤＣ／ＤＣコンバータ２２のＯＮ／ＯＦＦを制御する。
【００１５】
また、制御部５Ａは、監視信号２０により電源電圧Ｖｉｎ２を監視し、電源電圧Ｖｉｎ２が、図８に示すような低電圧検出しきい値を下回った場合は、無線通信端末の動作をＯＦＦする制御を行う。
【００１６】
ＷＣＤＭＡ用の電力増幅器１５は、ＤＣ／ＤＣコンバータ２２を介して電源１と接続され、ＤＣ／ＤＣコンバータ２２から電源電圧ＰＡＶｃｃ１４が供給される。電力増幅器１５の利得は、ＰＡバイアス信号１６により供給されるバイアス電圧に応じて変化する。
【００１７】
電圧安定化用コンデンサ１７は、電力増幅器１５に供給される電源電圧ＰＡＶｃｃ１４を安定にするためのコンデンサである。
【００１８】
ＧＳＭ用の電力増幅器２５は、電源１に直接接続され、電源１から電源電圧Ｖｉｎ２が直接供給される。電力増幅器２５の利得は、ＰＡバイアス信号２６により供給されるバイアス電圧に応じて変化する。
【００１９】
電圧安定化用コンデンサ２４は、電力増幅器２５に供給される電源電圧Ｖｉｎ２を安定にするためのコンデンサである。
【００２０】
しかし、図７に示したような無線通信装置においては、複数の通信方式ごとに複数の電力増幅器を設ける必要があるため、部品点数、実装面積、コストなどの面において問題があった。
【００２１】
そこで、電力増幅器を複数の通信方式で共用する構成とすることが考えられる。このような電力増幅器はマルチモード電力増幅器と称されている。
【００２２】
例えば、特許文献１には、電力増幅器をＣＤＭＡ方式およびＧＳＭ方式で共用する構成が開示されている。
【００２３】
電力増幅器をＣＤＭＡ方式およびＧＳＭ方式で共用する構成の場合、ＧＳＭ方式に合わせて、電力増幅器を電源に直接接続して使用すると、電力変換効率または動作特性の最適化ができずに、ＷＣＤＭＡ通信時の通話時間が増大してしまう。一方、ＷＣＤＭＡ方式に合わせて、電力増幅器をＤＣ／ＤＣコンバータを介して電源に接続し、ＤＣ／ＤＣコンバータを電力増幅器のＧＳＭ通信時の消費電流に合わせて設計すると、ＤＣ／ＤＣコンバータ内のスイッチング素子やインダクタの電流容量も大きなものが必要となり、直流抵抗分、サイズ、コストの増大を招き、ＤＣ／ＤＣコンバータの電力変換効率が悪くなり、ＷＣＤＭＡ通信時の通話時間が増大してしまうという問題があった。
【００２４】
そのため、電力増幅器に電源電圧を供給するに際して、ＷＣＤＭＡ通信時には、ＤＣ／ＤＣコンバータを使用し、ＧＳＭ通信時には、ＤＣ／ＤＣコンバータを迂回するバイパスを使用する構成とすることが考えられる。そのような構成の一例を図９に示す。なお、図９において、図７と同様の部分には同様の符号を付している。
【００２５】
図９に示した無線通信装置は、図７の無線通信装置と比較して、電力増幅器１５をＷＣＤＭＡ方式およびＧＳＭ方式で共用する点と、電源１からの電源電圧Ｖｉｎ２を、ＤＣ／ＤＣコンバータ２２を迂回して、電力増幅器１５に直接供給するためのバイパスを形成し、そのバイパス上にバイパスＳＷ９を設けた点と、制御部５Ａの代わりに制御部５Ｂを設けた点と、が異なる。なお、バイパスＳＷ９のＯＮ抵抗値はＲ２とする。
【００２６】
すなわち、図９に示した無線通信装置においては、電力増幅器１５への電源供給パスとして、ＤＣ／ＤＣコンバータを使用する電源供給パスと、バイパスＳＷ９が設けられたバイパスを使用する電源供給パスと、の２つの電源供給パスが形成されている。
【００２７】
制御部５Ｂは、制御部５Ａと同様の動作に加えて、制御信号ＳＷＯＮ８によりバイパスＳＷ９のＯＮ／ＯＦＦを制御する動作も行う。
【００２８】
具体的には、制御部５Ｂは、無線通信装置の通信方式がＷＣＤＭＡ方式またはＧＳＭ方式のどちらであるかを判別し、その判別結果に基づき、表１に示す判定表を参照して、電力増幅器１５への電源供給パスの選択を行う。バイパスＳＷ９とＤＣ／ＤＣコンバータ２２のＯＮ／ＯＦＦは排他的な動作となる。
【００２９】
【表１】
2010118918.tif 000003
【００３０】
通信方式がＷＣＤＭＡ方式である場合、制御部５Ｂは、バイパスＳＷ９をＯＦＦし、ＤＣ／ＤＣコンバータ２２をＯＮし、また、図１０に示すように、送信パワーに応じてＤＣ／ＤＣコンバータ２２の出力電圧を可変する制御を行うことにより、電力増幅部１５に電源電圧ＰＡＶｃｃ１４を供給する。具体的には、制御部５Ｂは、ＤＣ／ＤＣコンバータ２２の出力電圧を可変にする制御する場合、送信パワーに応じて制御信号ＤＣＤＣＣＯＮＴ１０を出力して制御を行う。制御信号ＤＣＤＣＣＯＮＴ１０は、アナログ電圧による方式またはシリアルディジタル信号による方式のどちらでも良い。
【００３１】
一方、通信方式がＧＳＭ方式である場合、制御部５Ｂは、ＤＣ／ＤＣコンバータ２２をＯＦＦし、バイパスＳＷ９をＯＮすることにより、電源１からの電源電圧Ｖｉｎ２を、直接、電力増幅部１５に電源電圧ＰＡＶｃｃ１４として供給する。
【特許文献１】特開２００５−１７５５６１号公報
【発明の開示】
【発明が解決しようとする課題】
【００３２】
しかしながら、図９に示した無線通信装置においては、バイパスを使用するＧＳＭ方式の場合、送信動作開始時に、電力増幅器１５に電源電圧ＰＡＶｃｃ１４を供給する際、ＤＣ／ＤＣコンバータ２２および電力増幅器１５の電圧安定化用コンデンサ７および１７を充電するための突入電流が発生し、上述の抵抗成分２１により過渡的な電圧降下が発生してしまう。
【００３３】
以下、上記動作について、図１１を参照して説明する。なお、図１１において、名称ＳＷＯＮ、Ｉ１、Ｉ２、Ｉ３、Ｖｉｎ、ＰＡＶｃｃ、およびＰＡバイアス信号は、それぞれ図９で同一名称を付したものを示している。
【００３４】
ＧＳＭ方式による送信動作開始時に、時刻ｔ０において、制御部５Ｂが制御信号ＳＷＯＮ８をＯＮにすると、バイパスＳＷ９を通して電圧安定化用コンデンサ７および１７を充電する電流Ｉ３が流れる。電流Ｉ３は、Ｉ３＝Ｖｉｎ／Ｒ２×ｅ＾（−ｔ／（Ｃ×Ｒ２））で表される。ここで、Ｖｉｎは電源電圧Ｖｉｎ２の電圧値、Ｒ２はバイパスＳＷ９のオン抵抗値、Ｃは電圧安定化用コンデンサ７および１７の合計容量値をそれぞれ示す。
【００３５】
時刻ｔ０でのＩ３のピーク電流Ｉ３ｐｅａｋは、Ｉ３ｐｅａｋ＝Ｖｉｎ／Ｒ２で表される。この電流Ｉ３により電圧安定化用コンデンサ７および１７は充電され、その充電電圧ＰＡＶｃｃは、ＰＡＶｃｃ＝Ｖｉｎ×ｅ＾（−ｔ／（Ｃ×Ｒ２））で表される。
【００３６】
また、電流Ｉ３は、電圧安定化用コンデンサ３または電源１から供給される。電流Ｉ１は、電源１から持ち出される電流を示し、Ｉ１＝Ｉ２＋Ｉ３で表される。
【００３７】
この電流Ｉ１と、電源１の内部抵抗成分、コネクタの接触抵抗成分、およびプリント基板上のプリントパターンの抵抗成分等を合わせた抵抗成分２１によって、ΔＶｉｎ＝Ｉ１
×Ｒ１で表される電圧降下ΔＶｉｎが発生することになる。
【００３８】
この過渡的な電圧降下ΔＶｉｎによって電源電圧Ｖｉｎ２が低電圧検出しきい値以下に
なると、制御部５Ｂが、誤って無線通信装置の動作をＯＦＦにしてしまう。そのため、低電圧検出しきい値を高めに設定することも考えられるが、そうすると、その弊害として、無線通信端末の実使用時間が短くなってしまうという課題があった。
【００３９】
また、過渡的な電圧降下ΔＶｉｎを低減するためにＤＣ／ＤＣコンバータ２２の入力電
圧安定化用コンデンサ３を大容量にすると、サイズ、コストの増大を招いてしまうという課題があった。
【００４０】
そこで、本発明の目的は、上述の課題を解決し、低電圧検出しきい値を高く設定したり、サイズ、コストの増大を招いたりすることなく、過渡的な電圧降下を低減することができる無線通信装置、電力増幅器の電源電圧制御方法を提供することにある。
【課題を解決するための手段】
【００４１】
本発明の第１の無線通信装置は、
電源と、複数の通信方式で共用する電力増幅部と、前記電源からの電源電圧を降圧又は昇圧して前記電力増幅部に供給するためのＤＣ／ＤＣコンバータと、前記電源からの電源電圧を前記ＤＣ／ＤＣコンバータを迂回して前記電力増幅部に直接供給するためのバイパスに設けられたバイパススイッチと、通信方式に応じて前記ＤＣ／ＤＣコンバータまたは前記バイパススイッチのいずれかをＯＮにし、前記電源からの電源電圧を前記ＤＣ／ＤＣコンバータまたは前記バイパスのいずれかを使用して前記電力増幅部に供給する制御部と、を有してなる無線通信装置であって、
前記制御部は、
前記バイパスを使用する通信方式の場合、当該通信方式による送信動作の開始前の一定期間において、前記バイパススイッチのＯＮ／ＯＦＦを繰り返す。
【００４２】
本発明の第２の無線通信装置は、
電源と、複数の通信方式で共用する電力増幅部と、前記電源からの電源電圧を降圧又は昇圧して前記電力増幅部に供給するためのＤＣ／ＤＣコンバータと、前記電源からの電源電圧を前記ＤＣ／ＤＣコンバータを迂回して前記電力増幅部に直接供給するためのバイパスに設けられたバイパススイッチと、通信方式に応じて前記ＤＣ／ＤＣコンバータまたは前記バイパススイッチのいずれかをＯＮにし、前記電源からの電源電圧を前記ＤＣ／ＤＣコンバータまたは前記バイパスのいずれかを使用して前記電力増幅部に供給する制御部と、を有してなる無線通信装置であって、
前記電力増幅器に供給される電源電圧を安定にする電源電圧安定化用コンデンサおよび前記ＤＣ／ＤＣコンバータ内のコンデンサを充電するための専用パスに設けられたコンデンサ充電用スイッチとコンデンサ充電電流制限抵抗とをさらに有し、
前記制御部は、
前記バイパスを使用する通信方式の場合、当該通信方式による送信動作の開始前の一定期間において、前記コンデンサ充電用スイッチをＯＮする。
【００４３】
本発明の第３の無線通信装置は、
電源と、複数の通信方式で共用する電力増幅部と、前記電源からの電源電圧を降圧又は昇圧して前記電力増幅部に供給するためのＤＣ／ＤＣコンバータと、前記電源からの電源電圧を前記ＤＣ／ＤＣコンバータを迂回して前記電力増幅部に直接供給するためのバイパスに設けられたバイパススイッチと、通信方式に応じて前記ＤＣ／ＤＣコンバータまたは前記バイパススイッチのいずれかをＯＮにし、前記電源からの電源電圧を前記ＤＣ／ＤＣコンバータまたは前記バイパスのいずれかを使用して前記電力増幅部に供給する制御部と、を有してなる無線通信装置であって、
前記電力増幅器に供給される電源電圧を安定にする電源電圧安定化用コンデンサおよび前記ＤＣ／ＤＣコンバータ内のコンデンサを充電するための専用パスに設けられたコンデンサ充電用及び逆流防止用ダイオードとコンデンサ充電電流制限抵抗とをさらに有し、
前記無線通信装置に前記電源が供給された後、前記コンデンサ充電用及び逆流防止用ダイオードおよび前記コンデンサ充電電流制限抵抗を通じて、前記電源電圧安定化用コンデンサおよび前記ＤＣ／ＤＣコンバータ内のコンデンサを充電する。
【００４４】
本発明の第１の電源電圧制御方法は、
電源と、複数の通信方式で共用する電力増幅部と、前記電源からの電源電圧を降圧又は昇圧して前記電力増幅部に供給するためのＤＣ／ＤＣコンバータと、前記電源からの電源電圧を前記ＤＣ／ＤＣコンバータを迂回して前記電力増幅部に直接供給するためのバイパスに設けられたバイパススイッチと、を有し、通信方式に応じて前記ＤＣ／ＤＣコンバータまたは前記バイパススイッチのいずれかをＯＮにし、前記電源からの電源電圧を前記ＤＣ／ＤＣコンバータまたは前記バイパスのいずれかを使用して前記電力増幅部に供給する無線通信装置における電力増幅器の電源電圧制御方法であって、
前記バイパスを使用する通信方式の場合、当該通信方式による送信動作の開始前の一定期間において、前記バイパススイッチのＯＮ／ＯＦＦを繰り返す。
【００４５】
本発明の第２の電源電圧制御方法は、
電源と、複数の通信方式で共用する電力増幅部と、前記電源からの電源電圧を降圧又は昇圧して前記電力増幅部に供給するためのＤＣ／ＤＣコンバータと、前記電源からの電源電圧を前記ＤＣ／ＤＣコンバータを迂回して前記電力増幅部に直接供給するためのバイパスに設けられたバイパススイッチと、を有し、通信方式に応じて前記ＤＣ／ＤＣコンバータまたは前記バイパススイッチのいずれかをＯＮにし、前記電源からの電源電圧を前記ＤＣ／ＤＣコンバータまたは前記バイパスのいずれかを使用して前記電力増幅部に供給する無線通信装置における電力増幅器の電源電圧制御方法であって、
前記無線通信装置の前記電力増幅器に供給される電源電圧を安定にする電源電圧安定化用コンデンサおよび前記ＤＣ／ＤＣコンバータ内のコンデンサを充電するための専用パスに配置されるコンデンサ充電用スイッチとコンデンサ充電電流制限抵抗とを設け、
前記バイパスを使用する通信方式の場合、当該通信方式による送信動作の開始前の一定期間において、前記コンデンサ充電用スイッチをＯＮする。
【００４６】
本発明の第３の電源電圧制御方法は、
電源と、複数の通信方式で共用する電力増幅部と、前記電源からの電源電圧を降圧又は昇圧して前記電力増幅部に供給するためのＤＣ／ＤＣコンバータと、前記電源からの電源電圧を前記ＤＣ／ＤＣコンバータを迂回して前記電力増幅部に直接供給するためのバイパスに設けられたバイパススイッチと、を有し、通信方式に応じて前記ＤＣ／ＤＣコンバータまたは前記バイパススイッチのいずれかをＯＮにし、前記電源からの電源電圧を前記ＤＣ／ＤＣコンバータまたは前記バイパスのいずれかを使用して前記電力増幅部に供給する無線通信装置における電力増幅器の電源電圧制御方法であって、
前記無線通信装置の前記電力増幅器に供給される電源電圧を安定にする電源電圧安定化用コンデンサおよび前記ＤＣ／ＤＣコンバータ内のコンデンサを充電するための専用パスに設けられたコンデンサ充電用及び逆流防止用ダイオードとコンデンサ充電電流制限抵抗とを設け、
前記無線通信装置に前記電源が供給された後、前記コンデンサ充電用及び逆流防止用ダイオードおよび前記コンデンサ充電電流制限抵抗を通じて、前記電源電圧安定化用コンデンサおよび前記ＤＣ／ＤＣコンバータ内のコンデンサを充電する。
【発明の効果】
【００４７】
本発明の第１の無線通信装置によれば、バイパスを使用する通信方式の場合、その通信方式による送信動作の開始前の一定期間において、電源からの電源電圧を電力増幅部に直接供給するためのバイパスに設けられたバイパススイッチを連続的にＯＮし続けるのではなく、ＯＮ／ＯＦＦを繰り返す。
【００４８】
このように、バイパススイッチのＯＮ／ＯＦＦを繰り返すことで、電源からの電流の過渡的なピーク電流を少なくすることにより、結果として電源からの電源電圧の電圧降下を低減することができる。
【００４９】
本発明の第２の無線通信装置によれば、バイパスを使用する通信方式の場合、その通信方式による送信動作の開始前の一定期間において、電力増幅器に供給される電源電圧を安定にする電源電圧安定化用コンデンサおよびＤＣ／ＤＣコンバータ内のコンデンサを充電するための専用パスに設けられたコンデンサ充電用スイッチをＯＮする。
【００５０】
このように、コンデンサ充電用スイッチをＯＮにすることで、上記の電源電圧安定化用コンデンサおよびＤＣ／ＤＣコンバータ内のコンデンサを充電する電流のピーク電流を低減することにより、結果として電源からの電流の過渡的なピーク電流が少なくなり、電源からの電源電圧の電圧降下を低減することができる。
【００５１】
本発明の第３の無線通信装置によれば、その無線通信装置に電源が供給された後、電力増幅器に供給される電源電圧を安定にする電源電圧安定化用コンデンサおよびＤＣ／ＤＣコンバータ内のコンデンサを充電するための専用パスに設けられた、コンデンサ充電用及び逆流防止用ダイオードおよびコンデンサ充電電流制限抵抗を通じて、上記の電源電圧安定化用コンデンサおよび前記ＤＣ／ＤＣコンバータ内コンデンサを充電することにより、バイパスを使用する通信方式の場合、バイパススイッチをＯＮした際に、電源からの電流の過渡的なピーク電流を少なくすることにより、結果として電源からの電源電圧の電圧降下を低減することができる。
【００５２】
したがって、ＤＣ／ＤＣコンバータ内の入力電圧を安定にするためのコンデンサの容量を大きくする必要がないため、小型化および低コスト化を図ることができるという効果が得られる。また、無線通信装置が動作可能な電源からの電源電圧の下限を低く設定することが可能になるという効果が得られる。
【発明を実施するための最良の形態】
【００５３】
以下に、本発明を実施するための最良の形態について図面を参照して説明する。
【００５４】
（第１の実施形態）
図１を参照すると、本実施形態の無線通信装置は、図９の無線通信装置と比較して、制御部５Ｂの代わりに制御部５を設けた点と、ＤＣ／ＤＣコンバータ２２の出力電圧を監視する監視信号ＤＣＤＣｍｏｎ２３を制御部５にも入力した点と、が異なる。なお、図１において、図９と同様の部分には同様の符号を付している。
【００５５】
制御部５は、制御部５Ｂと同様の動作に加えて、ＧＳＭ方式による送信動作を行う場合に、送信動作開始前の一定期間Ｔ１（Ｔ１秒間）において、制御信号ＳＷＯＮ８によりバイパスＳＷ９のＯＮ／ＯＦＦを繰り返す動作を行う。
【００５６】
このように、バイパスＳＷ９のＯＮ／ＯＦＦを繰り返して、電源１から持ち出される電流Ｉ１の過渡的なピーク電流を少なくすることにより、電源電圧Ｖｉｎ２の電圧降下ΔＶ
ｉｎを低減することができるという効果を得ることができる。
【００５７】
なお、制御部５によるバイパスＳＷ９のＯＮ／ＯＦＦの切り替えは、周期的にまたは非周期でも良く、また、電流Ｉ１の過渡的なピーク電流を充分に少なくするためには、期間Ｔ１において、少なくともＯＮ期間よりもＯＦＦ期間が多いことが好ましい。
【００５８】
以下、本実施形態の無線通信装置において、バイパスＳＷ９の制御信号ＳＷＯＮ８の制御方法について、図２を参照して説明する。なお、図２において、名称ＳＷＯＮ、Ｉ１、Ｉ２、Ｉ３、Ｖｉｎ、ＰＡＶｃｃ、およびＰＡバイアス信号は、それぞれ図１で同一名称を付したものを示している。
【００５９】
ＧＳＭ方式による送信動作を行う場合、制御部５は、送信開始前の一定期間Ｔ１において、制御信号ＳＷＯＮ８をＯＮ／ＯＦＦする動作を繰り返す。
【００６０】
このとき、例えば、時刻ｔ０において、制御部５が制御信号ＳＷＯＮ８をＯＮにすると、バイパスＳＷ９を通して電圧安定化用コンデンサ７および１７を充電する電流Ｉ３が流れる。電流Ｉ３は、Ｉ３＝Ｖｉｎ／Ｒ２×ｅ＾（−ｔ／（Ｃ×Ｒ２））で表される。ここで、Ｖｉｎは電源電圧Ｖｉｎ２の電圧値、Ｒ２はバイパスＳＷ９のオン抵抗値、Ｃは電圧安定化用コンデンサ７および１７の合計容量値をそれぞれ示す。
【００６１】
時刻ｔ０でのＩ３のピーク電流Ｉ３ｐｅａｋは、Ｉ３ｐｅａｋ＝Ｖｉｎ／Ｒ２で表される。この電流Ｉ３により電圧安定化用コンデンサ７および１７は充電され、その充電電圧ＰＡＶｃｃは、ＰＡＶｃｃ＝Ｖｉｎ×ｅ＾（−ｔ／（Ｃ×Ｒ２））で表される。
【００６２】
また、電流Ｉ３は、電圧安定化用コンデンサ３または電源１から供給される。電流Ｉ１は、電源１から持ち出される電流を示し、Ｉ１＝Ｉ２＋Ｉ３で表される。
【００６３】
時刻ｔ１において、制御部５が制御信号ＳＷＯＮ８をＯＦＦにすると、電圧安定化用コンデンサ７および１７を充電する電流Ｉ３＝０になる。
【００６４】
この電流Ｉ１と、電源１の内部抵抗成分、コネクタの接触抵抗成分、およびプリント基板上のプリントパターンの抵抗成分を含む抵抗成分２１によって、ΔＶｉｎ＝Ｉ１×Ｒ１
で表される電圧降下ΔＶｉｎが発生することになる。
【００６５】
しかしながら、本実施形態においては、制御部５は、制御信号ＳＷＯＮ８を連続的にＯＮし続けるのではなく、図２のように、ＯＮ／ＯＦＦを繰り返す。
【００６６】
このように、バイパスＳＷ９のＯＮ／ＯＦＦを繰り返すことで、電源１から持ち出される電流Ｉ１の過渡的なピーク電流を少なくすることにより、結果として電源電圧Ｖｉｎ２の電圧降下ΔＶｉｎを低減する効果を得ることができる。
【００６７】
したがって、入力電圧安定化用コンデンサ３の容量を大きくする必要がないため、小型化および低コスト化を図ることができるという効果が得られる。また、無線通信装置が動作可能な電源電圧Ｖｉｎ２の下限、つまり、図８で示した低電圧検出しきい値を低く設定することが可能となり、無線通信端末の使用時間を延ばすことが可能になるという効果が得られる。
【００６８】
また、ＷＣＤＭＡ方式およびＧＳＭ方式に対応する無線通信装置において上記の効果を得ながら電力増幅器１５の共用化を図ることが可能になるという効果も得られる。
【００６９】
なお、本実施形態においては、電源電圧Ｖｉｎ２の電圧降下ΔＶｉｎを低減する方法と
して、電源１からの電流Ｉ１の過渡的なピーク電流を少なくする方法を用いたが、本発明はこれに限らず、バイパスＳＷ９を通して充電される電圧安定化用コンデンサ７および１７への突入電流を低下させる方法を併用してもよい。
【００７０】
この場合、バイパスＳＷ９のＯＮ抵抗値Ｒ２を、送信動作中を含む通常動作時には、極めて小さい抵抗値（例えば、数十ｍΩ程度）とし、図２で示す期間Ｔ１でのみ、通常動作時よりも充分に大きな抵抗値（例えば、数十Ω以上）とすることが考えられる。具体的な実現方法としては、バイパスＳＷ９にＦＥＴ素子を使用し、通常動作時には、ＦＥＴ素子をフルオンし、期間Ｔ１では、ＦＥＴ素子をリニア動作させる方法がある。
【００７１】
また、本実施形態においては、制御部５が、図２で示す期間Ｔ１でのみ、バイパスＳＷ９を通して充電される電圧安定化用コンデンサ７の充電電圧をＤＣＤＣｍｏｎ２３を用いて監視し、監視した充電電圧を基にバイパスＳＷ９のＯＮ／ＯＦＦ時間を制御してもよい。例えば、制御部５は、充電電圧がしきい値よりも低い場合はＯＮ時間を予め決められた短い時間とし、充電電圧がしきい値以上である場合は、その充電電圧が高くなるにしたがって、ＯＮ時間を長くする制御を行う。
【００７２】
（第２の実施形態）
図３を参照すると、本実施形態の無線通信装置は、図９の無線通信装置と比較して、電圧安定化用コンデンサ７および１７を充電するための専用パスを形成し、その専用パス上にコンデンサ充電用ＳＷ２７およびコンデンサ充電電流制限抵抗２８を設けた点と、制御部５Ｂの代わりに制御部５'を設けた点と、ＤＣ／ＤＣコンバータ２２の出力電圧を監視する監視信号ＤＣＤＣｍｏｎ２３を制御部５'にも入力した点と、が異なる。なお、図３において、図９と同様の部分には同様の符号を付している。
【００７３】
コンデンサ充電電流制限抵抗２８の抵抗値Ｒ３は、送信動作中のバイパスＳＷ９のＯＮ抵抗値よりも充分に大きな抵抗値（例えば、数十Ω以上）とする。
【００７４】
制御部５'は、制御部５Ｂと同様の動作に加えて、制御信号ＰＲＥＳＷＯＮ２９によりコンデンサ充電用ＳＷ２７のＯＮ／ＯＦＦを制御する動作も行う。
【００７５】
以下、本実施形態の無線通信装置において、コンデンサ充電用ＳＷ２７の制御信号ＰＲＥＳＷＯＮ２９の制御方法について、図４を参照して説明する。なお、図４において、名称ＳＷＯＮ、ＰＲＥＳＷＯＮ、Ｉ１、Ｉ２、Ｉ３、Ｖｉｎ、ＰＡＶｃｃ、およびＰＡバイアス信号は、それぞれ図３で同一名称を付したものを示している。
【００７６】
ＧＳＭ方式による送信動作を行う場合、制御部５'は、送信開始前の一定期間Ｔ１（Ｔ１秒間）において、制御信号ＳＷＯＮ８によりバイパスＳＷ９をＯＦＦにした状態で、制御信号ＰＲＥＳＷＯＮ２９によりコンデンサ充電用ＳＷ２７を連続してＯＮにする。これにより、コンデンサ充電電流制限抵抗２８を通じて、電圧安定化用コンデンサ７および１７を充電する電流Ｉ３が流れる。このとき、Ｔ１は、電圧安定化用コンデンサ７および１７を充電するに十分な時間とする。
【００７７】
ここで、期間Ｔ１の開始時刻ｔ０での電流Ｉ３のピーク電流Ｉ３ｐｅａｋは、Ｉ３ｐｅａｋ＝Ｖｉｎ／Ｒ３で表される。
【００７８】
そのため、コンデンサ充電電流制限抵抗２８の抵抗値Ｒ３を十分に大きな値とすれば、ピーク電流Ｉ３ｐｅａｋを低減することが可能となるため、結果として電源１からの電流Ｉ１の過渡的なピーク電流が少なくなり、電源電圧Ｖｉｎ２の電圧降下ΔＶｉｎを低減す
る効果を得ることができる。
【００７９】
したがって、入力電圧安定化用コンデンサ３の容量を大きくする必要がないため、小型化および低コスト化を図ることができるという効果が得られる。また、無線通信装置が動作可能な電源電圧Ｖｉｎ２の下限、つまり、図８で示した低電圧検出しきい値を低く設定することが可能となり、無線通信端末の使用時間を延ばすことが可能になるという効果が得られる。
【００８０】
また、ＷＣＤＭＡ方式およびＧＳＭ方式に対応する無線通信装置において上記の効果を得ながら電力増幅器１５の共用化を図ることが可能になるという効果も得られる。
【００８１】
なお、本実施形態においては、制御部５'が、図４で示す期間Ｔ１でのみ、コンデンサ充電用ＳＷ２７を通して充電される電圧安定化用コンデンサ７および１７の充電電圧をＤＣＤＣｍｏｎ２３を用いて監視し、監視した充電電圧を基にコンデンサ充電用ＳＷ２７のＯＮ時間を制御してもよい。例えば、制御部５'は、充電電圧がしきい値よりも低い場合はＴ１時間を予め決められた短い時間とし、充電電圧がしきい値以上である場合は、その充電電圧が高くなるにしたがって、Ｔ１時間を長くする制御を行う。
【００８２】
（第３の実施形態）
図５を参照すると、本実施形態の無線通信装置は、図９の無線通信装置と比較して、電圧安定化用コンデンサ７および１７を充電するための専用パスを形成し、その専用パス上にコンデンサ充電用及び逆流防止用ダイオード３０およびコンデンサ充電電流制限抵抗２８を設けた点が異なる。なお、図５において、図９と同様の部分には同様の符号を付している。
【００８３】
コンデンサ充電電流制限抵抗２８の抵抗値Ｒ３は、送信動作中のバイパスＳＷ９のＯＮ抵抗値よりも充分に大きな抵抗値（例えば、数十Ω以上）とする。
【００８４】
以下、本実施形態の無線通信装置における動作について、図６を参照して説明する。なお、図６において、名称ＳＷＯＮ、Ｉ１、Ｉ２、Ｉ３、Ｖｉｎ、ＰＡＶｃｃ、およびＰＡバイアス信号は、それぞれ図５で同一名称を付したものを示している。
【００８５】
図６に示す時刻ｔ０は、無線通信装置に電源が供給された時点、たとえばバッテリを装着し電源が供給された時点を示す。その後、コンデンサ充電用及び逆流防止用ダイオード３０およびコンデンサ充電電流制限抵抗２８を通じて、電圧安定化用コンデンサ７および１７を充電する電流Ｉ３が流れる。図６で示すＴ１時間は、無線通信装置に電源が供給された時点、たとえばバッテリを装着し電源が供給された時点から最初にＧＳＭ方式の送信動作が開始されるまでの時間を示すことになるが、通常、無線通信装置を起動するに必要な時間は、数秒程度かかるため、電圧安定化用コンデンサ７および１７を充電するに十分な時間を確保することは可能となる。
【００８６】
ここで、時刻ｔ０での電流Ｉ３のピーク電流Ｉ３ｐｅａｋは、Ｉ３ｐｅａｋ＝Ｖｉｎ／Ｒ３で表される。
【００８７】
そのため、コンデンサ充電電流制限抵抗２８の抵抗値Ｒ３を十分に大きな値とすれば、ピーク電流Ｉ３ｐｅａｋを低減することが可能となるため、結果として電源１からの電流Ｉ１の過渡的なピーク電流が少なくなり、電源電圧Ｖｉｎ２の電圧降下ΔＶｉｎを低減す
る効果を得ることができる。
【００８８】
したがって、入力電圧安定化用コンデンサ３の容量を大きくする必要がないため、小型化および低コスト化を図ることができるという効果が得られる。また、無線通信装置が動作可能な電源電圧Ｖｉｎ２の下限、つまり、図８で示した低電圧検出しきい値を低く設定することが可能となり、無線通信端末の使用時間を延ばすことが可能になるという効果が得られる。
【００８９】
また、コンデンサ充電用及び逆流防止用ダイオード３０の役割としては、前記で述べたコンデンサ７及び１７の充電経路としての他、ＷＣＤＭＡ通信方式時にＤＣ／ＤＣコンバータを昇圧出力状態、Ｖｉｎ＜ＰＡＶｃｃの関係で使用した場合に電源入力Ｖｉｎ側に電流が逆流を防止するために必要となる。
【００９０】
また、ＷＣＤＭＡ方式およびＧＳＭ方式に対応する無線通信装置において上記の効果を得ながら電力増幅器１５の共用化を図ることが可能になるという効果も得られる。
また、第１および第２および第３の実施形態においては、無線通信装置がＷＣＤＭＡ方式およびＧＳＭ方式に対応しているが、本発明はこれに限らず、ＥＤＧＥ方式、第３．９世代と呼ばれるＬＴＥ（Long Term Evolution）、第４世代通信方式などへ追加で対応することも考えられる。
【図面の簡単な説明】
【００９１】
【図１】本発明の第１の実施形態の無線通信装置の構成を示すブロック図である。
【図２】図１に示した無線通信装置において、バイパスＳＷのＯＮ／ＯＦＦを制御する動作の一例を説明するタイミングチャートである。
【図３】本発明の第２の実施形態の無線通信装置の構成を示すブロック図である。
【図４】図３に示した無線通信装置において、コンデンサ充電用ＳＷのＯＮ／ＯＦＦを制御する動作の一例を説明するタイミングチャートである。
【図５】本発明の第３の実施形態の無線通信装置の構成を示すブロック図である。
【図６】図５に示した無線通信装置において、動作の一例を説明するタイミングチャートである。
【図７】関連する無線通信装置の構成の一例を示すブロック図である。
【図８】無線通信装置における動作範囲を説明する図である。
【図９】関連する無線通信装置の構成の他の例を示すブロック図である。
【図１０】無線通信装置における送信パワーとＤＣ／ＤＣコンバータの出力電圧との関係を説明するグラフである。
【図１１】図９に示した無線通信装置において、バイパスＳＷのＯＮ／ＯＦＦを制御する動作の一例を説明するタイミングチャートである。
【符号の説明】
【００９２】
１    電源
２    電源電圧Ｖｉｎ
３    入力電圧安定化用コンデンサ
４    ＤＣ／ＤＣコンバータ制御部
５，５’，５Ｂ    制御部
６    インダクタ
７    出力電圧安定化用コンデンサ
８    制御信号ＳＷＯＮ
９    バイパスＳＷ
１０    制御信号ＤＣＤＣＣＯＮＴ
１１    制御信号ＤＣＤＣＯＮ
１２，１３    出力電圧監視抵抗
１４    電源電圧ＰＡＶｃｃ
１５    電力増幅器
１６    ＰＡバイアス信号
１７，２４    電圧安定化用コンデンサ
１８，１９    電源電圧監視抵抗
２０    監視信号
２１    抵抗成分
２２    ＤＣ／ＤＣコンバータ
２３    監視信号ＤＣＤＣｍｏｎ
２７    コンデンサ充電用ＳＷ
２８    コンデンサ充電電流制限抵抗
２９    制御信号ＰＲＥＳＷＯＮ
３０    コンデンサ充電用及び逆流防止用ダイオード
【図１】
2010118918.tif 000004
【図２】
2010118918.tif 000005
【図３】
2010118918.tif 000006
【図４】
2010118918.tif 000007
【図５】
2010118918.tif 000008
【図６】
2010118918.tif 000009
【図７】
2010118918.tif 000010
【図８】
2010118918.tif 000011
【図９】
2010118918.tif 000012
【図１０】
2010118918.tif 000013
【図１１】
2010118918.tif 000014